(57)【特許請求の範囲】
【請求項１】
ヘテロジーニアスネットワークにおけるサービスコンテンツ配布方法であって、
サービス管理プラットフォームが、ネットワークと端末のコンテキスト情報を格納し、維持するステップと、
前記サービス管理プラットフォームが、受信されたサービス要求に応じて、コンテキスト情報のインデックスを検索し、前記サービス要求をコンテキスト情報のインデックスと比較して、サービスコンテンツ配布のための協調ネットワークと端末を選択し、選択された協調ネットワークと端末に応じてサービスコンテンツの配布を行うステップとを含み、
前記選択された協調ネットワークと端末が複数である場合、前記サービス管理プラットフォームがサービスコンテンツを配布する時に、前記サービスコンテンツに対してサービス分流を行い、分流されたサブサービスフローを、対応する協調ネットワークと端末にそれぞれ送信するステップとをさらに含み、
前記ネットワークのコンテキスト情報は、ネットワーク記述情報、ネットワークの一般的なリソース情報、及びフローのコンテキスト情報を含み、
前記端末のコンテキスト情報は、端末自身が備える通信、計算、サービス表示の面でのコンテキスト情報を意味し、
前記サービス要求は、要求されるサービスの情報を含み、前記要求されるサービスの情報は、要求されるサービスのタイプ、要求されるサービスのコンテンツ、及びユーザーの好みを含むことを特徴とする方法。
【請求項２】
選択された協調ネットワークと端末に応じてサービスコンテンツの配布を行うことは、  前記サービス管理プラットフォームが、サービス要求における情報を、自身にキャッシュされているサービスデータ情報のインデックスと比較して分析することにより、要求されるサービスコンテンツが自身にすでに格納されているかどうかを判断し、そうである場合は、前記サービス管理プラットフォームが、格納されている対応するサービスコンテンツを前記協調ネットワークと端末に配布し、そうでない場合は、前記サービス管理プラットフォームが、サービスコンテンツの提供デバイスへ対応するサービスコンテンツを要求し、取得されたサービスコンテンツを前記協調ネットワークと端末に配布することを含むことを特徴とする
請求項１に記載の方法。
【請求項３】
サービスコンテンツを協調ネットワークと端末に配布した後、
前記端末が、受信されたサービスコンテンツをサービス要求の開始端末へプッシュ配信し、前記開始端末が、サービス集約によって、サービスコンテンツの表示を完了するステップとをさらに含むことを特徴とする
請求項１に記載の方法。
【請求項４】
前記サービス管理プラットフォームは、ネットワークレイヤとアプリケーションレイヤの間にあることを特徴とする
請求項１乃至３のいずれか１項に記載の方法。
【請求項５】
サービス管理プラットフォームであって、
ネットワークと端末のコンテキスト情報を格納し、維持し、コンテキスト情報の検索サービスを提供するように構成される連合無線リソース管理サーバーと、
サービス要求を受信し、受信されたサービス要求に応じて、前記連合無線リソース管理サーバーへコンテキスト情報のインデックスを検索し、前記サービス要求をコンテキスト情報のインデックスと比較して、サービスコンテンツ配布のための協調ネットワークと端末を選択し、選択された協調ネットワークと端末に応じてサービスコンテンツの配布を行うように構成されるエッジサーバーとを含み、
前記エッジサーバーは、さらに、選択された協調ネットワークと端末が複数である場合に、サービスコンテンツを配布する時に、前記サービスコンテンツに対してサービス分流を行い、分流されたサブサービスフローを、対応する協調ネットワークと端末にそれぞれ送信するように構成され、
前記ネットワークのコンテキスト情報は、ネットワーク記述情報、ネットワークの一般的なリソース情報、及びフローのコンテキスト情報を含み、
前記端末のコンテキスト情報は、端末自身が備える通信、計算、サービス表示の面でのコンテキスト情報を意味し、
前記サービス要求は、要求されるサービスの情報を含み、前記要求されるサービスの情報は、要求されるサービスのタイプ、要求されるサービスのコンテンツ、及びユーザーの好みを含むことを特徴とするサービス管理プラットフォーム。
【請求項６】
前記エッジサーバーは、さらに、サービス要求における情報を、自身にキャッシュされているサービスデータ情報のインデックスと比較して分析することにより、要求されたサービスコンテンツがすでに自身に格納されているかどうかを判断し、そうである場合は、すでに格納されている対応するサービスコンテンツを前記協調ネットワークと端末に配布し、そうでなければ、サービスコンテンツの提供デバイスへ対応するサービスコンテンツを要求し、取得されたサービスコンテンツを前記協調ネットワークと端末に配布するように構成されることを特徴とする
請求項５に記載のサービス管理プラットフォーム。
【請求項７】
前記サービス管理プラットフォームは、ネットワークレイヤとアプリケーションレイヤの間にあることを特徴とする
請求項５又は６に記載のサービス管理プラットフォーム。
【発明の詳細な説明】
【技術分野】
【０００１】
本発明は、無線通信分野に関し、特にヘテロジーニアスネットワークにおけるサービスコンテンツ配布方法、およびサービス管理プラットフォームに関する。
【背景技術】
【０００２】
ユビキタスネットワークと、モノのインターネットは、複数種類のヘテロジーニアスネットワークの融合ネットワークであり、このネットワークにおいて複数種類のヘテロジーニアスネットワーク端末が存在している。ユーザーは、周辺環境におけるヘテロジーニアスネットワーク端末を十分に活用して共同でサービスのダウンロードと提供を実現することができ、これにより、ネットワークと端末のリソースを十分に活用することもでき、より良く、より迅速に、より便利にユーザーにサービスを提供して、ユーザー体験を向上させることもできる。
【０００３】
複数種類のヘテロジーニアスネットワーク端末を利用してユーザーにサービスを提供する過程において、ネットワーク選択とネットワークが存在する端末の選択を行うことが必要となる。どのように複数種類のヘテロジーニアスネットワーク及びその端末がともに存在している場合に、サービス要求に応じて適切なネットワークと端末を選択してサービスコンテンツの配布を行うかは、現在ユビキタスネットワークとモノのインターネットの検討中に直面する解決すべき課題である。
【発明の概要】
【発明が解決しようとする課題】
【０００４】
上記事情を鑑みて、本発明の実施形態の主な目的は、ヘテロジーニアスネットワークにおいてサービス要求に応じて適切なネットワークと端末を選択し、ユーザーの周辺環境における端末を十分に活用し、さらに無線リソースを十分に活用することを実現するように、ヘテロジーニアスネットワークにおけるサービスコンテンツ配布方法、およびサービス管理プラットフォームを提供することにある。
【課題を解決するための手段】
【０００５】
上記目的を達成するために、本発明の実施形態の技術的なスキームは、以下のように実現される。
【０００６】
本発明の実施形態に係るヘテロジーニアスネットワークにおけるサービスコンテンツ配布方法は、
サービス管理プラットフォームが、ネットワークと端末のコンテキスト情報を格納し、維持するステップと、
前記サービス管理プラットフォームが、受信されたサービス要求に応じて、コンテキスト情報のインデックスを検索し、サービスコンテンツ配布のための協調ネットワークと端末を選択し、選択された協調ネットワークと端末に応じてサービスコンテンツの配布を行うステップとを含む。
【０００７】
好ましくは、選択された協調ネットワークと端末に応じてサービスコンテンツの配布を行うことは、
前記サービス管理プラットフォームが、サービス要求における情報を、自身にキャッシュされているサービスデータ情報のインデックスと比較して分析することにより、要求されるサービスコンテンツが自身にすでに格納されているかどうかを判断し、そうである場合は、前記サービス管理プラットフォームが、格納されている対応するサービスコンテンツを前記協調ネットワークと端末に配布し、そうでない場合は、前記サービス管理プラットフォームが、サービスコンテンツの提供デバイスへ対応するサービスコンテンツを要求し、取得されたサービスコンテンツを前記協調ネットワークと端末に配布することを含む。
【０００８】
好ましくは、この方法は、
選択された協調ネットワークと端末が複数である場合、前記サービス管理プラットフォームがサービスコンテンツを配布する時に、前記サービスコンテンツに対してサービス分流を行い、分流されたサブサービスフローを、対応する協調ネットワークと端末にそれぞれ送信するステップとをさらに含む。
【０００９】
好ましくは、サービスコンテンツを協調ネットワークと端末に配布した後、この方法は、
前記協調端末が、受信されたサービスコンテンツを、サービス要求の開始端末へプッシュ配信し、前記開始端末が、サービス集約形態でサービスコンテンツの表示完了するステップとをさらに含む。
【００１０】
好ましくは、前記サービス管理プラットフォームは、ネットワークレイヤとアプリケーションレイヤの間にある。
【００１１】
本発明の実施形態に係るサービス管理プラットフォームは、
ネットワークと端末のコンテキスト情報を格納し、維持し、コンテキスト情報の検索サービスを提供するように構成される連合無線リソース管理サーバーと、
サービス要求を受信し、受信されたサービス要求に応じて、前記連合無線リソース管理サーバーへコンテキスト情報のインデックスを検索し、サービスコンテンツ配布のための協調ネットワークと端末を選択し、選択された協調ネットワークと端末に応じてサービスコンテンツの配布を行うように構成されるエッジサーバーとを含む。
【００１２】
好ましくは、前記エッジサーバーは、さらに、サービス要求における情報を、自身にキャッシュされているサービスデータ情報のインデックスと比較して分析することにより、要求されたサービスコンテンツがすでに自身に格納されているかどうかを判断し、そうである場合は、すでに格納されている対応するサービスコンテンツを前記協調ネットワークと端末に配布し、そうでない場合は、サービスコンテンツの提供デバイスへ対応するサービスコンテンツを要求し、取得されたサービスコンテンツを前記協調ネットワークと端末に配布するように構成される。
【００１３】
好ましくは、前記エッジサーバーは、さらに、選択された協調ネットワークと端末が複数である場合、サービスコンテンツを配布する時に、前記サービスコンテンツに対してサービス分流を行い、分流されたサブサービスフローを、対応する協調ネットワークと端末にそれぞれ送信するように構成される。
【００１４】
好ましくは、前記サービス管理プラットフォームは、ネットワークレイヤとアプリケーションレイヤの間にある。
【００１５】
本発明の実施形態によるヘテロジーニアスネットワークにおけるサービスコンテンツ配布方法、およびサービス管理プラットフォームは、複数種類のヘテロジーニアスネットワークがともに存在する場合で無線ネットワークリソースとユーザーの周辺環境における端末リソースを十分に活用することができるだけではなく、サービス管理プラットフォームによるネットワークに対する制御選択と端末の選択により、要求されるサービスに対してより適切な協調ネットワークと協調端末を提供することができ、それによってより優れたサービスコンテンツ配布の解決手段を提供し、要求されるサービスのダウンロードと提供をより良く実現し、ユーザー体験をさらに向上させる。
【図面の簡単な説明】
【００１６】
【図１】本発明の実施形態に係るヘテロジーニアスネットワークにおけるサービスコンテンツ配布のシステム構造の模式図である。
【図２】本発明の実施形態に係るヘテロジーニアスネットワークにおけるサービスコンテンツ配布方法のフローチャートである。
【発明を実施するための形態】
【００１７】
以下に、図面と具体的な実施形態を参照して本発明の技術的なスキームを詳しく説明する。
【００１８】
ヘテロジーニアスネットワークにおいてサービス要求に応じて適切なネットワークと端末を選択し、ユーザーの周辺環境における端末を十分に活用し、さらに無線リソースを活用することを実現するために、本発明の実施形態に係るヘテロジーニアスネットワークにおけるサービスコンテンツ配布方法は  サービス管理プラットフォームを提案することを主旨とし、このサービス管理プラットフォームがネットワークと端末のコンテキスト情報を格納し、維持し、このサービス管理プラットフォームが受信されたサービス要求に応じて、コンテキスト情報のインデックスを検索し、サービスコンテンツ配布のための協調ネットワークと端末を選択し、選択された協調ネットワークと端末に応じてサービスコンテンツの配布を行う。
【００１９】
ここで、選択された協調ネットワークと端末に応じてサービスコンテンツの配布を行うことは、サービス管理プラットフォームが、サービス要求に応じて、要求されるサービスコンテンツが自身にすでに格納されているかどうかを判断し、そうである場合は、前記サービス管理プラットフォームが、格納されている対応するサービスコンテンツを前記協調ネットワークと端末に配布し、そうでない場合は、前記サービス管理プラットフォームが、サービスコンテンツの提供デバイスへ対応するサービスコンテンツを要求し、取得されたサービスコンテンツを前記協調ネットワークと端末に配布することを含む。
【００２０】
好ましくは、選択された協調ネットワークと端末が複数である場合、前記サービス管理プラットフォームが、サービスコンテンツを配布する時に、前記サービスコンテンツに対してサービス分流を行い、分流されたサブサービスフローを、対応する協調ネットワークと端末にそれぞれ送信する。
【００２１】
サービスコンテンツを協調ネットワークと端末に配布した後、協調端末が、受信されたサービスコンテンツをサービス要求の開始端末へプッシュ配信し、前記開始端末がサービス集約形態でサービスコンテンツの表示を完了する。
【００２２】
本発明の実施形態に係る方法を実現するために採用されるシステム構造は図１に示され、このシステムは主に、ユビキタスネットワーク（またはモノのインターネット）アプリケーション、サービス管理プラットフォーム、ネットワーク、および知覚拡張レイヤデバイスを含み、
その中で、ユビキタスネットワークまたはモノのインターネットアプリケーションとは、インテリジェントビル、緊急消防、インテリジェントキャンパスなどのアプリケーションのような、ユビキタスネットワークまたはモノのインターネットのユーザーの様々な需要とアプリケーションを意味し、
サービス管理プラットフォームはネットワークレイヤとアプリケーションレイヤの間にあり、ネットワークと端末のコンテキスト情報を格納し、このコンテキスト情報を統括的に維持し、管理するように構成され、
ネットワークには、通信ネットワーク、インターネット、業界専用ネットワークなどを含むが、これらに限定されず、
知覚拡張レイヤデバイスとは、アクセスネットワークのゲートウェイ、知覚拡張レイヤネットワーク端末とノード、デバイスを意味するが、これらに限定されず、さらに、知覚拡張レイヤデバイスは、ユーザーに必要な情報を提供することもでき、ユーザーの代わりに情報需要を提出することもできる。本発明の実施形態における前述した端末および以降説明する端末は、前記知覚拡張レイヤデバイスを意味している。
【００２３】
好ましくは、サービス管理プラットフォームは、連合無線リソース管理サーバーとエッジサーバーを含み、その中で、連合無線リソース管理サーバーが、ネットワークと端末のコンテキスト情報を格納し、維持し、コンテキスト情報の検索サービスを提供するように構成され、連合無線リソース管理サーバーが、検索エンジンを作ることでコンテキスト情報の検索サービスを提供してもよく、エッジサーバーが、サービス要求を受信し、受信されたサービス要求に応じて前記連合無線リソース管理サーバーへコンテキスト情報のインデックスを検索することにより、サービスコンテンツ配布のための協調ネットワークと端末を選択し、選択された協調ネットワークと端末に応じてサービスコンテンツの配布を行うように構成される。
【００２４】
ここで、エッジサーバーは、サービス要求に応じて、要求されたサービスコンテンツがすでに自身に格納されているかどうかを判断し、そうである場合は、すでに格納されている対応するサービスコンテンツを前記協調ネットワークと端末に配布し、そうでない場合は、サービスコンテンツの提供デバイスへ対応するサービスコンテンツを要求し、取得されたサービスコンテンツを前記協調ネットワークと端末に配布するように構成されてもよい。
【００２５】
エッジサーバーは、さらに、選択された協調ネットワークと端末が複数である場合、サービスコンテンツを配布する時に、前記サービスコンテンツに対してサービス分流を行い、分流されたサブサービスフローを、対応する協調ネットワークと端末にそれぞれ送信するように構成されてもよい。
【００２６】
以下に、具体的に図１に示されるシステム構造を参照して、ヘテロジーニアスネットワークにおけるサービスコンテンツ配布方法をさらに詳しく説明する。
【００２７】
図１に示されるシステム構造において、ネットワーク１、ネットワーク２、およびネットワーク３は、移動通信ネットワークまたはインターネットのような、ユーザー端末ネットワークを表し、ネットワーク４はセンサネットワークまたはほかの情報データ提供ネットワークを表す。知覚拡張レイヤデバイスとは、アクセスネットワークのゲートウェイ、知覚拡張レイヤネットワーク端末とノードなどを意味し、知覚拡張レイヤデバイスは、ユーザーに必要な情報を提供することもでき、ユーザーの代わりに情報需要を提出することもできる。図１において、知覚拡張レイヤデバイス１がユーザー１の端末デバイスを表し、知覚拡張レイヤデバイス２がユーザー２の端末デバイスを表し、知覚拡張レイヤデバイス３がユーザー３の端末デバイスを表し、知覚拡張レイヤデバイス４がデータ提供端末デバイスを表す。
【００２８】
ユーザー端末がダウンロードサービスを要求することを例として、ヘテロジーニアスネットワークにおけるサービスコンテンツ配布方法の実施形態は、図２に示すように、主に以下のステップを含み、
ステップ２０１、ユーザー１の所在する知覚拡張レイヤデバイス１はサービスダウンロード要求を行い、
ステップ２０２、このサービスダウンロード要求は知覚拡張レイヤデバイス１の所在するネットワークによってサービス管理プラットフォームにおけるエッジサーバーに伝送し、
ステップ２０３、エッジサーバーはサービスダウンロード要求を受信した後、このサービスダウンロード要求に対してキャッシュと解析を行い、また、エッジサーバーはイベントトリガーという方式で連合無線リソース管理サーバーへネットワークと端末のコンテキスト情報のインデックスを要求し、
ステップ２０４、連合無線リソース管理サーバーは、エッジサーバーからの要求を受信した後、コンテキスト情報のインデックスをエッジサーバーに送信し、
ステップ２０５、エッジサーバーは、サービスダウンロード要求をコンテキスト情報のインデックスと比較して、コンテキスト情報の選択を実現することで、使用するネットワークと端末を選択し、本発明の実施形態において、選択により、ネットワーク２とネットワーク３、およびネットワーク２内の知覚拡張レイヤデバイス２とネットワーク３内の知覚拡張レイヤデバイス３を使用すると仮定し、
ここで、サービスダウンロード要求には、要求されるサービスの情報が含まれ、要求されるサービスのタイプ、要求されるサービスのコンテンツ、ユーザーの好みなどの情報が含まれるが、これらに限定されない。連合無線リソース管理サーバーに提供されるネットワークと端末のコンテキスト情報のインデックスについては、その中で、ネットワークのコンテキスト情報に、ネットワーク記述（例えば、ネットワーク識別子、位置、アクセスタイプ、カバレッジ、ＩＰアドレスなど）、ネットワークの一般的なリソース（例えば、帯域幅、サポートされるサービス、使用可能なメディアポート、使用可能なサービス品質、安全レベルなど）およびフローのコンテキスト情報が含まれ、端末のコンテキスト情報とは、端末自身が備える通信、計算、サービス表示などの面でのコンテキスト情報を意味する。ネットワークと端末のコンテキスト情報について、無線リソース管理サーバーにおいて一定のインデックスが格納され、このインデックスによって、対応するコンテキスト情報を見つけることができる。エッジサーバーは、サービスダウンロード要求における情報に応じて、連合無線リソース管理サーバーに提供されるネットワークと端末のコンテキスト情報のインデックスにおいて、サービスダウンロード要求情報に合わせたネットワークと端末を見つけることができる。
【００２９】
ステップ２０６、エッジサーバーは、サービスダウンロード要求を比較して分析することで、対応するサービスコンテンツ（つまり、ユーザー１に必要なサービスコンテンツ）がすでにキャッシュされているかどうかを判断し、そうである場合は、ステップ２０９を実行し、そうでない場合は、ステップ２０７を実行し、
エッジサーバーには、他の知覚拡張レイヤデバイスに提供されるサービスデータ情報（またはサービスコンテンツとも称される）がキャッシュされており、このサービスデータ情報がエッジサーバーに格納されるとともに、対応するインデックスを生成し、サービスダウンロード要求には、要求されるサービスのタイプ、要求されるサービスのコンテンツ、ユーザーの好みなどの情報が含まれるが、これらに限定されず、エッジサーバーが、サービスダウンロード要求を受信する時に、このサービスダウンロード要求における情報を、格納されているサービスデータ情報のインデックスと比較し分析して、サービスダウンロード要求に対応するサービスコンテンツがエッジサーバー自身にすでにキャッシュされているかどうかを判断する。
【００３０】
ステップ２０７、エッジサーバーにユーザー１に必要なサービスコンテンツがキャッシュされていないと判断すると、エッジサーバーは、イベントトリガーの方式でネットワーク４によってサービス提供デバイス（つまり、図１における知覚拡張レイヤデバイス４）へ対応するサービスコンテンツを要求し、
ステップ２０８、サービス提供デバイスは、エッジサーバーからのサービスコンテンツ要求を受信した後に、解析処理によって、提供すべきサービスコンテンツを抽出して、ネットワーク４によってエッジサーバーに提供し、その後、ステップ２０９を実行し、
前記解析処理とは、すなわち、サービス提供デバイスが、受信されたサービスコンテンツ要求における情報を解析して、サービス提供デバイス自身が識別可能なデータフォーマットの情報に変換することで、提供すべきサービスコンテンツを識別することであり、サービス提供デバイスが、イベントトリガーの方式で対応するサービスコンテンツをダウンロードし、さらなる処理を経て、サービスコンテンツをネットワーク４が識別可能なデータフォーマットの情報に変換して、ネットワーク４によってエッジサーバーに提供する。
【００３１】
ステップ２０９、エッジサーバーは、サービスコンテンツに対してサービス分流を行い、分流されたサブサービスフローをそれぞれネットワーク２とネットワーク３に割り当て、また、ネットワーク２とネットワーク３によってそれぞれ知覚拡張レイヤデバイス２と知覚拡張レイヤデバイス３にダウンロードし、
ここで、サービスコンテンツに対してサービス分流を行う方式には、対等な分流方式と、サービスコンテンツに応じて分割する方式などが含まれるが、これらに限定されず、対等な分流方式とは、サービスコンテンツを半分ずつに分割する方式であり、サービスコンテンツに応じて分割する方式については、例えば、サービスコンテンツがオーディオ・ビデオ、文字などの部分を含む場合、オーディオ・ビデオ、文字などの部分を分けて、それぞれ異なるサブサービスフローを形成し、異なるネットワークと端末によって各サブサービスフローのダウンロードを行ってもよい。
【００３２】
なお、分流されたそれぞれのサブサービスフローは、そのコンテンツが一般的にそれぞれ異なる。
【００３３】
ステップ２１０、知覚拡張レイヤデバイス２と知覚拡張レイヤデバイス３は、対応するサブサービスフローを受信した後、イベントトリガーの方式でサービスコンテンツを知覚拡張レイヤデバイス１へプッシュ配信し、
ステップ２１１、知覚拡張レイヤデバイス１は、サービス集約によって、完全な、ユーザーに必要なサービスコンテンツを形成して表示する。
【００３４】
サブサービスフローには、統一的なサービスフローバイトヘッダまたはほかのユーザーに指定される識別フラッグと識別番号が含まれるが、これらに限定されず、知覚拡張レイヤデバイス１は、すべてのサブサービスフローを受信した後、統一的なサービスフローバイトヘッダまたは識別フラッグ、識別番号を識別することで、サブサービスフローに対してサービス集約を行って、サービス分流が行われる前の完全なサービスフローを形成し、つまり、ユーザーに必要なサービスコンテンツを取得する。
【００３５】
本発明の実施形態において、サービス管理プラットフォームのネットワークと端末のコンテキスト情報を格納し、維持する機能が、連合無線リソース管理サーバーによって実現されるものに限定されず、ほかの実現可能な、代わりの実施形態を採用してもよく、コンテキスト情報のインデックスを検索することにより、サービスコンテンツ配布のための協調ネットワークと端末を選択し、選択された協調ネットワークと端末に応じてサービスコンテンツの配布を行う機能も、エッジサーバーによって実現されるものに限定されず、ほかの実現可能な、代わりの実施形態を採用してもよいことに留意すべきである。
【００３６】
上記のように、本発明の実施形態は、複数種類のヘテロジーニアスネットワークがともに存在する場合で無線ネットワークリソースとユーザーの周辺環境における端末リソースを十分に活用することができるだけではなく、サービス管理プラットフォームによるネットワーク制御選択と端末の選択により、要求されるサービスに対してより適切な協調ネットワークと協調端末を提供することができ、それによってより優れたサービスコンテンツ配布の解決手段を提供し、要求されるサービスのダウンロードと提供をより良く実現し、ユーザー体験をさらに向上させる。
【００３７】
以上は、本発明の好ましい実施形態に過ぎず、本発明の保護範囲を制限するためのものではない。
【図１】
0006301331.tif 000002
【図２】
0006301331.tif 000003